(57)【要約】【課題】  外向き面および側面の反射率よりも、文字および記号の少なくとも１つが刻設された刻設部の反射率が高いことによって、文字および記号のコントラストを高めたものであり、これによって、指輪をつけている人が優先的に、文字および記号を視認し易くすること。【解決手段】  外向き面と内向き面との間に側面を備えた輪体からなる指輪であって、前記外向き面から前記側面にかけて連続して文字および記号の少なくとも１つが刻設されており、前記外向き面および前記側面の反射率よりも、前記文字および記号の少なくとも１つが刻設された刻設部の反射率が高いこと。【選択図】図２
2014068658.tif 000002
【特許請求の範囲】
【請求項１】
外向き面と内向き面との間に側面を備えた輪体からなる指輪であって、
前記外向き面から前記側面にかけて連続して文字および記号の少なくとも１つが刻設されており、
前記外向き面および前記側面の反射率よりも、前記文字および記号の少なくとも１つが刻設された刻設部の反射率が高いことを特徴とする指輪。
【請求項２】
前記刻設部の表面の算術平均粗さは、前記外向き面および前記側面の算術平均粗さよりも小さい、請求項１に記載の指輪。
【請求項３】
前記輪体は、前記外向き面から前記側面を経由して前記内向き面にかけて光学特性が異なる材料からなる層を重ねた多層構造を有しており、前記刻設部が前記多層構造の複数の層にわたって刻設されている、請求項１または２に記載の指輪。
【請求項４】
前記刻設部に、前記輪体の材料よりも反射率が高い材料からなる表面部材が嵌め込まれている、請求項１に記載の指輪。
【発明の詳細な説明】
【技術分野】
【０００１】
本発明は、身装品としての指輪に関するものである。
【背景技術】
【０００２】
マリッジリング等の指輪は比較的シンプルなデザインが多く、指輪に文字や記号を彫刻することが一般に行なわれる。
【０００３】
また、この文字や記号を目立たせ且つデザイン性を出すために、例えば文字や記号が指輪の外向き面に彫刻されることが多い。
【０００４】
しかし外向き面に、プライベートな内容の文字列等を彫刻した場合、他人に読み取られ易くなるおそれがある。
【０００５】
そこで、指輪を着けている人だけがその文字や記号を容易に読み取ることができるように、外向き面と内向き面との間に側面を備えた輪体からなり、外向き面から側面にわたり文字および記号が刻設された指輪が知られている（特許文献１参照）。
【先行技術文献】
【特許文献】
【０００６】
【特許文献１】特開２００８−１４９１７１号公報
【発明の概要】
【発明が解決しようとする課題】
【０００７】
しかしながら、文字および記号が刻設された刻設部は、光の反射の具合によって、外向き面や側面とのコントラストが弱くなってしまう場合があった。
【０００８】
そのため、指輪を着けている人であっても、刻設部を文字および記号として視認することが難しくなる場合があった。特に、指輪の外向き面から側面にわたって角度がほぼ垂直に変化する場合、特定方向から同時に、刻設部全体を最適なコントラストで文字および記号として視認することが難しくなる場合がった。
【課題を解決するための手段】
【０００９】
上記課題に鑑みて本発明は、外向き面と内向き面との間に側面を備えた輪体からなる指輪であって、前記外向き面から前記側面にかけて連続して文字および記号の少なくとも１つが刻設されており、前記外向き面および前記側面の反射率よりも、前記文字および記号の少なくとも１つが刻設された刻設部の反射率が高いことを特徴とする。
【発明の効果】
【００１０】
本発明によれば、外向き面および側面の反射率よりも、文字および記号の少なくとも１つが刻設された刻設部の反射率が高いことによって、文字および記号のコントラストを高めたものであり、これによって、指輪をつけている人が優先的に、文字および記号を視認し易くしたものである。
【００１１】
特に、特定方向への刻設部からの反射率が高くなるので、暗所でも文字および記号を視認し易くなる。
【００１２】
また、特定方向から文字（記号）を個別にしか確認できないようにすることができ、他
人が文字（記号）を一目で視認しづらくしたものである。
【図面の簡単な説明】
【００１３】
【図１】本発明の指輪の実施形態における文字および記号が刻設された指輪の断面模式図である。
【図２】本発明の指輪の第１の実施形態における図１の点線部分に対応する拡大断面模式図である。
【図３】本発明の指輪の第２の実施形態における断面模式図であり、（ａ）は指輪の側面に平行な断面での断面模式図、（ｂ）は（ａ）の点線部分に対応する拡大断面模式図、（ｃ）は（ａ）のＡ−Ａ断面図である。
【図４】本発明の指輪の第３の実施形態における図１の点線部分に対応する拡大断面模式図である。
【図５】本発明の指輪に係わる実施形態を説明する写真代用斜視図である。
【発明を実施するための形態】
【００１４】
以下、本発明に係る指輪の一実施形態を詳細に説明する。
【００１５】
本発明の指輪の実施形態によれば、外向き面と内向き面との間に側面を備えた輪体からなる指輪であって、外向き面から側面にかけて連続して文字および記号の少なくとも１つが刻設されており、外向き面および側面の反射率よりも、文字および記号の少なくとも１つが刻設された刻設部の反射率が高いことを特徴とする。
【００１６】
これにより、文字および記号のコントラストを高めることによって、視認性を向上することができる。
【００１７】
本発明に係る指輪は、図１および図５に示すように、外向き面２と内向き面３との間に側面４を備えた輪体１からなる。
【００１８】
曲面状をなす外向き面２と、略平面状をなす側面４とに連続して、刻設部７が、文字５（１文字または複数の文字から成る文字列）および記号６として、ＮＣ加工機等により立体的に彫刻されている。
【００１９】
このような指輪１は、文字５や記号６を彫刻した刻設部７を有する面が、指輪１を装着している本人から見える側に向くようにすることで、指輪１を装着している本人だけが、文字５や記号６を容易に読み取ることができる。
【００２０】
これに対して、他の人が異なる方向から指輪１を見たとしても、容易に文字５や記号６を読み取ることができず、何が彫刻されているか容易に判別できない。よって、文字５や記号６がたとえ記念日等のプライベートな内容であっても、指輪１を装着している人だけが気兼ねなくその文字５や記号６を楽しむことができる。
【００２１】
特に、特定方向への刻設部７からの反射率が高くなるので、暗所であっても刻設部７からの全反射によって、文字５および記号６を視認し易くなる。
【００２２】
また、刻設部７から全反射できる方向が特定方向に限られているので、特定方向からしか文字５（記号６）を確認できない。すなわち文字５（記号６）を個別にしか確認できないようにすることができるので、他人が文字５（記号６）を一目だけで視認できないようにしたものである。
【００２３】
ここで、前記ＮＣ加工機による文字５や記号６の彫刻は、加工面の異なる外向き面２と
側面４とのそれぞれについて異なる加工プログラムで実施され、指輪１を装着した人だけが文字５や記号６をより見易くし、他の人からはその文字５や記号６をより認識しにくくするためには、面積の広い外向き面２に、文字５および記号６の半分より大の領域が彫刻されていることが好ましい。
【００２４】
また、外向き面２を略曲面状、側面４を略平面状、あるいは、外向き面２を略平面状、側面４を略曲面状等とすることもでき、本発明の要旨を逸脱しない範囲で実施可能である。
【００２５】
そして彫刻後はバフ研磨によって、外向き面２と側面４を鏡面加工するとともに、両者の境界および刻設部７の縁部を面取りすることで、文字５や記号６を形成する際に発生する刻設部７のバリを除去でき、そのバリが原因で衣服等を引っ掛けてしまうなどの不具合を防止する。
【００２６】
ところで、文字５および記号６が刻設された刻設部７の反射率よりも、外向き面２および側面４の反射率を低くする構成、およびそれを実現する具体的手段としては、例えば以下のような各実施形態がある。
【００２７】
本発明の第１実施形態としては、刻設部の表面の算術平均粗さは、外向き面および側面の算術平均粗さよりも小さいことが好ましい。
【００２８】
例えば図２は、刻設部７の周囲の外向き面２および側面２に凹凸を形成する一方、刻設部７の内面を研磨して鏡面化したものである。
【００２９】
そして入射した光を刻設部７の内面の鏡面で反射させ、特定方向へ集光させることによって、刻設部７における反射光を強調させたものである。
【００３０】
ここで刻設部７の算術平均粗さは、１〜１００μｍＲａの範囲であることが、刻設部７と、外向き面２および側面４との反射率のコントラストを最適にすることができる点で好ましい。
【００３１】
すなわち、少なくとも指輪１を装着している人にとっては、文字５および記号６を視認し易くし、他人からは視認が難しい状態にできる点で好ましい。
【００３２】
さらにこのような集光を促進させるためには、刻設部７の断面形状が矩形状の溝であるよりも、三角形状の溝や円弧状の溝等にすることによって、刻設部７からの光が集光し易いようにすることが好ましい。
【００３３】
製造方法としては、まず文字５および記号６の刻設後に、刻設部７をマスキング剤でマスキングする。
【００３４】
そして、輪体１が耐食性の材料の場合であれば、サンドブラスト処理等、物理的処理をすることで、刻設部７の算術平均表面粗さを、外向き面２および側面４の算術平均表面粗さよりも小さくすることができる。
【００３５】
あるいは、輪体１が硬質の材料の場合であれば、硝酸等に浸漬する等、化学的処理をすることで、刻設部７の算術平均粗さを、外向き面２および側面４の算術平均表面粗さよりも小さくすることができる。
【００３６】
マスキング剤を輪体１に塗布する工程において、刻設部７は窪んでいるため、マスキン
グ剤を充填し易い点で都合が良い。
【００３７】
マスキング剤としては、例えばノボラック樹脂等が最適であるが、これに限らず、文字５や記号６を型取ったシール等を刻設部７に貼り付けることによって、マスキングをしても構わない。
【００３８】
本発明の第２実施形態としては、輪体は、外向き面から側面を経由して内向き面にかけて光学特性が異なる材料からなる層を重ねた多層構造を有しており、刻設部が多層構造の複数の層にわたって刻設されていることが好ましい。
【００３９】
例えば図３（ａ）、（ｂ）のように、外向き面２における刻設部７の表面のうち、最も全反射し易い底部において、反射率の高い２層目が露出した状態となることが好ましい。
【００４０】
製造方法としては、多層構造の輪体１の２層目以降が反射率の高い材料となっていることが好ましく、例えば２層目は白金（Ｐｔ）とし、１層目は黒色銀等を用いたクラッド構造にすればよい。
【００４１】
例えば図３（ｃ）のように、このクラッド構造が同心状に多層構造をなしていれば、外向き面２、側面４のいずれの面に文字５および記号６を刻設した場合であっても、同様の効果を得ることができる。
【００４２】
本発明の第３実施形態は、刻設部に、輪体の材料よりも反射率が高い材料からなる表面部材が嵌め込まれていることが好ましい。
【００４３】
例えば図４のように、刻設部７内に反射率が高い材料からなる表面部材８を外向き面２上および側面４上にはみ出さないように嵌め込むことが好ましい。
【００４４】
ここで表面部材８は、必ずしも刻設部７の内部全体に充填されている必要は無く、刻設部７の表面に形成されるだけでも構わない。
【００４５】
製造方法としては、金（Ａｕ）の輪体１に対して文字５および記号６の刻設を実施した後に、輪体１の材料よりも反射率が高い白金（Ｐｔ）のペーストを刻設部７内に充填して焼成すればよい。
【００４６】
なお、以上までにおいて、文字５および記号６が窪んでいる実施形態を説明してきたが、文字５および記号６が浮き彫りになっていても構わない。また、刻設部７の底面と側面との間に反射率差があってもよく、文字５および記号６の輪郭を強調するのに都合が良い。
【符号の説明】
【００４７】
１：指輪（輪体）
２：外向き面
３：内向き面
４：側面
５：文字
６：記号
７：刻設部
８：表面部材
【図１】
2014068658.tif 000003
【図２】
2014068658.tif 000004
【図３】
2014068658.tif 000005
【図４】
2014068658.tif 000006
【図５】
2014068658.tif 000007